(57)【特許請求の範囲】
【請求項１】
ページごとの入力画像データを取り込み、または生成する入力画像データ取得手段と、
この入力画像データ取得手段により取得されたページごとの入力画像データを処理して、用紙上に画像を印字出力するための出力画像データを生成する画像処理手段とを備え、
上記画像処理手段は、用紙の同一面において一方の側に割り付けるページに対して他方の側に割り付けるページを倒立させ、印字後の用紙を２つに裁断した場合に、分割された一方の用紙が文書の前半部における表面および裏面のページの画像が双方とも正立で順次両面印字されたものとなり、分割された他方の用紙が上記文書の後半部における表面および裏面のページの画像が双方とも倒立で順次両面印字されたものとなるとともに、上記前半のページの最終ページと上記後半のページの最初のページとがページ順に連続するように上記出力画像データを生成する画像処理装置。
【発明の詳細な説明】
【０００１】
【発明の属する技術分野】
この発明は、複写機やプリンタなどの印刷装置（この明細書では、印刷には複写を含み、印刷装置にはプリンタのほかに複写機などを含む）における画像処理装置に関する。
【０００２】
【従来の技術】
複写機やプリンタなどの印刷装置で、ページごとの画像データの複数ページ分を１枚の用紙の片面に印刷する方法が、いわゆるＮｕｐないしＮｉｎ１として知られている。
【０００３】
例えば、特開平４−３１７１８２号、または特開平４−１４３８２７号には、印刷時間の短縮や用紙の節約をはかるために、図７（Ａ）に示すように、画像データの２ページ分を１枚の用紙１の片面に印刷する方法や、図８（Ａ）に示すように、画像データの４ページ分を１枚の用紙１の片面に印刷する方法が、示されている。
【０００４】
【発明が解決しようとする課題】
しかしながら、上述した従来の方法では、印刷後に、図７（Ａ）の破線２の位置、または図８（Ａ）の破線３ａ，３ｂの位置で用紙１を裁断し、その裁断された各部を重ねて冊子としたとき、用紙の切断面が冊子の一定の辺に揃わず、冊子の体裁が悪くなる。
【０００５】
また、図７（Ｂ）または図８（Ｂ）に示すように、画像データの同一ページを１枚の用紙１の片面に複数ページ分、印刷して同一文書を複数部、生成する場合、図７（Ｂ）または図８（Ｂ）のように偶数部のときには用紙の無駄を生じないが、奇数部のときには用紙の無駄を生じる。
【０００６】
そこで、この発明は、ページごとの画像データの複数ページ分を１枚の用紙の片面に印刷する場合に、印刷後に各用紙を二分するように裁断し、その裁断された一半部を半回転させて他半部に重ねるだけで、所期のページ順の冊子を作成することができるとともに、用紙の切断面がその冊子の一定の辺に揃って、冊子の体裁が良くなり、しかも、同一文書を奇数部作成するときでも、用紙の無駄を生じないようにしたものである。
【０００８】
【課題を解決するための手段】
この発明の画像処理装置は、
ページごとの入力画像データを取り込み、または生成する入力画像データ取得手段と、
この入力画像データ取得手段により取得されたページごとの入力画像データを処理して、用紙上に画像を印字出力するための出力画像データを生成する画像処理手段とを備え、
上記画像処理手段は、用紙の同一面において一方の側に割り付けるページに対して他方の側に割り付けるページを倒立させ、印字後の用紙を２つに裁断した場合に、分割された一方の用紙が文書の前半部における表面および裏面のページの画像が双方とも正立で順次両面印字されたものとなり、分割された他方の用紙が上記文書の後半部における表面および裏面のページの画像が双方とも倒立で順次両面印字されたものとなるとともに、上記前半のページの最終ページと上記後半のページの最初のページとがページ順に連続するように上記出力画像データを生成するものである。
【００１１】
なお、この明細書で「用紙」とは、画像を印字できるシート状のものをすべて含む。
【００１２】
【作用】
上記のように構成した、この発明の画像処理装置では、その画像処理装置からの出力画像データにより画像出力装置で用紙上に画像を印刷した後、その印刷物を各用紙を二分するように裁断し、その裁断された一半部を半回転させて他半部に重ねるだけで、所期のページ順の冊子を作成することができるとともに、用紙の切断面がその冊子の一定の辺に揃って、冊子の体裁が良くなる。
【００１３】
また、文書の作成に要する用紙の枚数は、文書の総ページ数をＦとし、Ｆが４の倍数でないときには、Ｆに最も近く、かつＦより大きい４の倍数をｆとして、文書を１部作成するときには（Ｆ／４）または（ｆ／４）、同一文書を２部作成するときには２（Ｆ／４）または２（ｆ／４）、同一文書を３部作成するときには３（Ｆ／４）または３（ｆ／４）であって、同一文書を奇数部作成するときでも、用紙の無駄を生じない。
【００１６】
なお、ここでの「冊子」は、必ずしも製本化されたものや、ステープル（針綴じ）などにより綴じられたものに限らず、単に印刷裁断後の用紙が重ねられただけにすぎないものも含む。
【００１７】
【発明の実施の形態】
［システム構成…図１］
図１は、この発明の画像処理装置の一例を備える印刷システムの一実施形態を示し、印刷装置が通信ネットワーク上に配置されたプリンタ、いわゆるネットワークプリンタとして構成されるとともに、複写機能を有する場合である。
【００１８】
すなわち、この実施形態の印刷システムは、ＬＡＮ（ローカルエリアネットワーク）などの通信ネットワーク１０上にジョブ発行装置２０および印刷装置３０が配置されて構成される。
【００１９】
ジョブ発行装置２０は、パーソナルコンピュータやワークステーションなどからなり、これからは、ＰｏｓｔＳｃｒｉｐｔ（ＡｄｏｂｅＳｙｓｔｅｍｓ社の登録商標）などのページ記述言語で表現された印刷データ（印字情報）やＴＩＦＦ（Ｔａｇ  Ｉｍａｇｅ  Ｆｉｌｅ  Ｆｏｒｍａｔ）などの画像データに対して、後述するような印刷指示情報や後処理指示情報が付加された印刷ジョブ（以下、単にジョブと称する）が、通信ネットワーク１０を通じて印刷装置３０に送信され、画像処理装置７０に取り込まれる。
【００２０】
印刷装置３０は、この例では、画像読取装置４０、データ記憶装置５０、ユーザインタフェース６０、画像処理装置７０、画像出力装置８０および後処理装置９０を備える。
【００２１】
画像読取装置４０は、原稿を読み取ってページごとの画像データを得るもので、これからの画像データは、ページごとの入力画像データとして画像処理装置７０に取り込まれる。
【００２２】
データ記憶装置５０は、画像読取装置４０からの画像データと同様のページごとの画像データ、またはジョブ発行装置２０からの上記の印刷データと同様のページ記述言語で表現された印刷データが書き込まれた、フロッピーディスクやネットワーク磁気ディスクなどの記憶装置で、これからの画像データまたは印刷データは、画像データのときにはページごとの入力画像データとして、印刷データのときには後述するように画像処理装置７０でページごとの入力画像データに変換されるべきデータとして、画像処理装置７０に取り込まれる。
【００２３】
ユーザインタフェース６０は、コントロールパネル、またはディスプレイおよびキーボードからなり、ユーザが印刷装置３０に対して、各種の選択をし、または指示を入力するとともに、ユーザの選択または指示のための案内や、印刷装置３０の動作状況などを表示するものである。
【００２４】
この実施形態では、上記のようにジョブ発行装置２０からのジョブ、画像読取装置４０からの画像データ、およびデータ記憶装置５０からの画像データまたは印刷データのいずれかが選択的に画像処理装置７０に取り込まれることから、ユーザインタフェース６０においては、画像処理装置７０が常時はジョブ発行装置２０からのジョブを受け付けうるモードとされ、ユーザが画像読取装置４０またはデータ記憶装置５０を選択するときには、その選択されたものからの画像データまたは印刷データを受け付けるモードが設定されるか、ユーザがジョブ発行装置２０、画像読取装置４０またはデータ記憶装置５０を選択することによって、画像処理装置７０がその選択されたものからのジョブ、画像データまたは印刷データを受け付けるモードが設定されるようにされる。
【００２５】
また、ユーザが画像読取装置４０またはデータ記憶装置５０を選択するときには、ユーザインタフェース６０において、後述するような印刷指示および後処理指示を行う。
【００２６】
画像処理装置７０は、この例では、ＣＰＵ７１、ＲＡＭ７２、ＶＲＡＭ７３、ネットワークインタフェース７４、画像読取装置４０に対するインタフェース回路７５、データ記憶装置５０に対するインタフェース回路７６、ネットワークインタフェース７４およびインタフェース回路７５，７６に対する入出力ポート７７、ユーザインタフェース６０に対するインタフェース回路７８、および画像出力装置８０に対するインタフェース回路７９を有する。
【００２７】
ＲＡＭ７２には、後述するような画像生成ルーチンを含む、ＣＰＵ７１が実行すべき印刷支持プログラムが、書き込まれるとともに、後述するように、ページごとの入力画像データと、印刷指示情報および後処理指示情報とが書き込まれる。
【００２８】
ＶＲＡＭ７３は、ＣＰＵ７１がＲＡＭ７２に書き込まれたページごとの入力画像データを、後述するような画像生成ルーチンに従って処理して出力画像データを生成したときに、その出力画像データが書き込まれるバッファメモリである。
【００２９】
ジョブ発行装置２０から通信ネットワーク１０を通じてネットワークインタフェース７４により画像処理装置７０内に取り込まれた印刷データは、ＣＰＵ７１によりページごとのラスターイメージ、すなわちページごとの画像データに変換され、そのＣＰＵ７１で生成された画像データが、ページごとの入力画像データとしてＲＡＭ７２に書き込まれる。また、ジョブ発行装置２０からの印刷指示情報および後処理指示情報も、ＲＡＭ７２に書き込まれる。
【００３０】
ジョブ発行装置２０からの印刷指示情報は、印刷データにおける文書の縦書きまたは横書きの種別、一文書の総ページ数、印刷すべき用紙のサイズ、印刷部数、この発明におけるようなＮｕｐ印刷をすべきときには、その態様などであり、後処理指示情報は、後処理として印刷物の裁断、裁断後の部分の重ね合わせ、ステープル（針綴じ）またはその他の方法により冊子を綴じるときにおける、それらの指示などである。
【００３１】
画像読取装置４０またはデータ記憶装置５０からインタフェース回路７５または７６により画像処理装置７０内に取り込まれた画像データまたは印刷データは、画像読取装置４０またはデータ記憶装置５０からの画像データであるときには、ページごとの入力画像データとしてＲＡＭ７２に書き込まれ、データ記憶装置５０からの印刷データであるときには、ＣＰＵ７１によりページごとの画像データに変換され、そのＣＰＵ７１で生成された画像データが、ページごとの入力画像データとしてＲＡＭ７２に書き込まれる。この場合、ユーザインタフェース６０からの印刷指示情報および後処理指示情報も、ＲＡＭ７２に書き込まれる。
【００３２】
ユーザインタフェース６０での印刷指示は、ジョブ発行装置２０からの印刷指示情報と同様に、文書の縦書きまたは横書きの種別、一文書の総ページ数、印刷すべき用紙のサイズ、印刷部数、この発明におけるようなＮｕｐ印刷をすべきときには、その態様などであり、後処理指示は、ジョブ発行装置２０からの後処理指示情報と同様に、印刷物の裁断、裁断後の部分の重ね合わせ、ステープル（針綴じ）またはその他の方法により冊子を綴じるときにおける、それらの指示などである。
【００３３】
ユーザインタフェース６０において、ユーザは、このように印刷指示および後処理指示をした後、印刷開始の操作をする。
【００３４】
以上のように、ジョブ発行装置２０からのジョブを印刷装置３０に実行させるときには、ユーザは、ユーザインタフェース６０において、特別の操作をすることなく、またはジョブ発行装置２０を選択する操作をすることによって、画像処理装置７０にジョブ発行装置２０からのジョブを受け付けさせ、その印刷データからページごとの画像データを生成させて、その生成させた画像データをページごとの入力画像データとしてＲＡＭ７２に書き込ませるとともに、ジョブ発行装置２０からの印刷指示情報および後処理指示情報をＲＡＭ７２に書き込ませる。
【００３５】
また、ユーザインタフェース６０からの指示の内容を印刷装置３０に行なわせるときには、ユーザは、ユーザインタフェース６０において、画像読取装置４０またはデータ記憶装置５０を選択する操作をし、次に上記の印刷指示および後処理指示をし、次に印刷開始の操作をすることによって、画像処理装置７０に画像読取装置４０またはデータ記憶装置５０からのデータを取り込ませ、ページごとの入力画像データをＲＡＭ７２に書き込ませるとともに、ユーザインタフェース６０からの印刷指示情報および後処理指示情報をＲＡＭ７２に書き込ませる。
【００３６】
画像処理装置７０は、このようにＲＡＭ７２に、ページごとの入力画像データと、印刷指示情報および後処理指示情報とを書き込むと、ユーザの操作なしに画像生成ルーチンに移行し、ＣＰＵ７１により、ＲＡＭ７２に書き込まれたページごとの入力画像データを処理して出力画像データを生成し、その生成した出力画像データをＶＲＡＭ７３に書き込む。
【００３７】
そして、ＣＰＵ７１は、そのＶＲＡＭ７３に書き込まれた出力画像データを、印刷指示情報および後処理指示情報とともに、画像出力装置８０に送出する。
【００３８】
画像出力装置８０は、画像処理装置７０からの出力画像データを、印刷指示情報に従って用紙上に印字出力するとともに、印刷後は、その生成した印刷物を、後処理指示情報とともに、後処理装置９０に送出する。
【００３９】
後処理装置９０は、画像出力装置８０からの印刷物を、後処理指示情報に従って後処理するものである。
【００４０】
［この発明の例…図２、図３］
この発明では、例えば、両面印刷の場合、図２に示すように印刷され、後処理される。
【００４１】
すなわち、図２は、入力画像データにおける一文書の総ページ数Ｆが４の倍数の場合で、この場合、１ページ目から（Ｍ−１）ページ目までが前半のページ、Ｍページ目からＦページ目までが後半のページである。
【００４２】
この場合、文書がポートレイト方向に対して横書きのときには、図２の上側および左側に示すように、１ページ目が用紙Ｓ１の一面（表面）の右半分に、Ｍページ目が用紙Ｓ１の一面の左半分に、２ページ目が用紙Ｓ１の裏面の一面からみて右半分に、（Ｍ＋１）ページ目が用紙Ｓ１の裏面の一面からみて左半分に、３ページ目が用紙Ｓ２の一面の右半分に、（Ｍ＋２）ページ目が用紙Ｓ２の一面の左半分に、４ページ目が用紙Ｓ２の裏面の一面からみて右半分に、（Ｍ＋３）ページ目が用紙Ｓ２の裏面の一面からみて左半分に、（Ｍ−２）ページ目が用紙Ｓ（Ｆ／４）の一面の右半分に、（Ｆ−１）ページ目が用紙Ｓ（Ｆ／４）の一面の左半分に、（Ｍ−１）ページ目が用紙Ｓ（Ｆ／４）の裏面の一面からみて右半分に、Ｆページ目が用紙Ｓ（Ｆ／４）の裏面の一面からみて左半分に、それぞれ割り付けられる。
【００４３】
文書がポートレイト方向に対して縦書きのときには、図２の右下側に示すように、横書きのときとは各ページの割り付け位置が逆にされる。
【００４４】
ただし、いずれのときも、１，２，３，４…（Ｍ−２），（Ｍ−１）ページ目のイメージは正立させられ、Ｍ，（Ｍ＋１），（Ｍ＋２），（Ｍ＋３）…（Ｆ−１），Ｆページ目のイメージは倒立させられる。また、必要に応じて、各ページのイメージは縮小または拡大される。
【００４５】
このように生成された、（Ｆ／４）枚の用紙Ｓ１〜Ｓ（Ｆ／４）からなる印刷物４は、それぞれの用紙が二分されるように裁断され、さらに、その裁断されたＭ，（Ｍ＋１），（Ｍ＋２），（Ｍ＋３）…（Ｆ−１），Ｆページ目の部分５が１８０度回転させられて、１，２，３，４…（Ｍ−２），（Ｍ−１）ページ目の部分６の後側に重ねられることにより、冊子７が形成される。
【００４６】
図３は、このような画像を生成する場合の画像処理装置７０における画像生成ルーチンの一例を示し、ステップ１０１でスタート後、まずステップ１０２において、一文書の総ページ数Ｆが４の倍数か否かを判断する。
【００４７】
Ｆが４の倍数であるときには、ステップ１０２からステップ１０３に進んで、処理上の総ページ数ｆをＦとした後、ステップ１０５に進む。
【００４８】
Ｆが４の倍数でないときには、ステップ１０２からステップ１０４に進んで、処理上の総ページ数ｆを、Ｆに最も近く、かつＦより大きい、４の倍数ｆａとした後、ステップ１０５に進む。
【００４９】
すなわち、Ｆが４の倍数より１少ないときには、ｆ＝Ｆ＋１とし、Ｆが４の倍数より２少ないときには、ｆ＝Ｆ＋２とし、Ｆが４の倍数より３少ないときには、ｆ＝Ｆ＋３とする。
【００５０】
後述するように、この処理上の総ページ数ｆと実際の総ページ数Ｆとの差の分は、ＶＲＡＭ７３への画像データの読み込みの際に、ＶＲＡＭ７３に空白ページ、すなわち空白イメージが挿入される。
【００５１】
ステップ１０５においては、文書がポートレイト方向に対して横書きであるか、縦書きであるかを判断し、横書きであるときには、ステップ１０５からステップ１０６に進んで、用紙右半分用のカウンタの値ｉを１とするとともに、用紙左半分用のカウンタの値ｊをｆ／２とした後、ステップ１０８に進む。
【００５２】
文書がポートレイト方向に対して縦書きであるときには、ステップ１０５からステップ１０７に進んで、ｉをｆ／２とするとともに、ｊを１として後、ステップ１０８に進む。
【００５３】
ステップ１０８においては、ＲＡＭ７２に書き込まれた入力画像データのｉページ目およびｊページ目を読み出して、ｊ＞ｉのときにはｊページ目のイメージを倒立させ、ｉ＞ｊのときにはｉページ目のイメージを倒立させるとともに、それぞれのイメージを必要に応じて縮小または拡大させた後、そのｉページ目およびｊページ目の画像データを、１枚の用紙の片面の一面（表面）からみて右半分および左半分に割り付ける出力画像データとして、ＶＲＡＭ７３に読み込む。
【００５４】
次に、ステップ１０９において、その１枚の用紙の片面分の出力画像データと、その印刷の指示を画像出力装置８０に送出して、画像出力装置８０に１枚の用紙の片面分の印刷を行わせる。
【００５５】
次に、ステップ１１０に進んで、ｉ，ｊをそれぞれ１だけインクリメントした上で、ステップ１１１に進んで、ｊ＞ｉのときにはｊが、ｉ＞ｊのときにはｉが、それぞれｆを超えたか否かを判断する。
【００５６】
ｊおよびｉがｆを超えていないときには、ステップ１１１からステップ１０８に戻って、ステップ１０８〜１１１を繰り返し、ｊまたはｉがｆを超えたときには、画像生成処理を終了する。
【００５７】
このようにして、図２に示したように（ただし、図２はＦが４の倍数で、ｆ＝Ｆの場合）、（ｆ／４）枚の用紙上に画像が印字出力され、後処理装置９０において、上記のように冊子７が形成される。
【００５８】
この場合、Ｆが４の倍数でないときには、冊子７において、最後の用紙の裏面もしくは両面、または最後の用紙の両面とその直前の用紙の裏面が白紙イメージとなる。最後の用紙の両面が白紙イメージとなるときには、必要に応じて、その最後の用紙を除去すればよい。
【００５９】
そして、図２の例によれば、用紙の切断面が冊子７の一定の辺に、すなわち横書き文書の場合には左辺に、縦書き文書の場合には右辺に、揃うようになる。
【００６０】
しかも、用紙の無駄を生じることなく、文書１部を印刷できるので、同一文書を奇数部、生成するときでも用紙の無駄を生じない。
【００６１】
なお、片面印刷の場合には、一文書の処理上の総ページ数ｆを２の倍数として、文書がポートレイト方向に対して横書きのときには、入力画像データの１ページ目が１枚目の用紙の一面の右半分に、｛（ｆ／２）＋１｝ページ目が１枚目の用紙の一面の左半分に、２ページ目が２枚目の用紙の一面の右半分に、｛（ｆ／２）＋２｝ページ目が２枚目の用紙の一面の左半分に、（ｆ／２）ページ目が（ｆ／２）枚目の用紙の一面の右半分に、ｆページ目が（ｆ／２）枚目の用紙の一面の左半分に、それぞれ割り付けられる。文書がポートレイト方向に対して縦書きのときには、横書きのときとは各ページの割り付け位置が逆にされる。
【００６２】
イメージの正立、倒立については、両面印刷の場合と同様にされる。なお、ｆは、一文書の実際上の総ページ数Ｆが偶数のときには、ｆ＝Ｆとされ、ｆが奇数のときには、Ｆに最も近く、かつＦより大きい偶数とされる。
【００６３】
そして、片面印刷の場合にも、両面印刷の場合と同様の効果が得られる。
【００６４】
なお、文書がランドスケープ方向に対して横書き、縦書きの場合には、それぞれ図２に示し、上述した方法とは逆の方向の割り付けがなされるようにすればよい。
【００６５】
［他の発明の例…図４、図５］
他の発明では、例えば、両面印刷の場合、図４に示すように印刷され、後処理される。
【００６６】
すなわち、図４は、入力画像データにおける一文書の総ページ数Ｍが偶数の場合で、この場合、文書がポートレイト方向に対して横書きのときには、図４の上側および左側に示すように、入力画像データの１ページ目が用紙Ｓ１の一面（表面）の右半分および左半分に２ページ分、２ページ目が用紙Ｓ１の裏面の右半分および左半分に２ページ分、３ページ目が用紙Ｓ２の一面の右半分および左半分に２ページ分、４ページ目が用紙Ｓ２の裏面の右半分および左半分に２ページ分、（Ｍ−１）ページ目が用紙Ｓ（Ｍ／２）の一面の右半分および左半分に２ページ分、Ｍページ目が用紙Ｓ（Ｍ／２）の裏面の右半分および左半分に２ページ分、それぞれ割り付けられる。
【００６７】
文書がポートレイト方向に対して縦書きのときにも、図４の右下側に示すように、横書きのときと同様である。
【００６８】
ただし、横書きのときには、用紙Ｓ１，Ｓ２…の一面からみて右半分のイメージは正立させられ、一面からみて左半分のイメージは倒立させられる。縦書きのときには、逆に、用紙Ｓ１，Ｓ２…の一面からみて左半分のイメージは正立させられ、一面からみて右半分のイメージは倒立させられる。この場合も、必要に応じて、各ページのイメージは縮小または拡大される。
【００６９】
このように生成された、（Ｍ／２）枚の用紙Ｓ１〜Ｓ（Ｍ／２）からなる印刷物４は、それぞれの用紙が二分されるように裁断され、さらに、その裁断された、イメージが倒立した部分７ｂが１８０度回転させられて、イメージが正立した部分７ａの後方に重ねられることにより、冊子が形成される。
【００７０】
図５は、このような画像を生成する場合の画像処理装置７０における画像生成ルーチンの一例を示し、ステップ２０１でスタート後、まずステップ２０２において、一文書の総ページ数Ｍが偶数か否かを判断する。
【００７１】
Ｍが偶数であるときには、ステップ２０２からステップ２０３に進んで、処理上の総ページ数ｍをＭとした後、ステップ２０５に進む。
【００７２】
Ｍが奇数のときには、ステップ２０２からステップ２０４に進んで、処理上の総ページ数ｍをＭ＋１とした後、ステップ２０５に進む。
【００７３】
後述するように、この処理上の総ページ数ｍと実際の総ページ数Ｍとの差の１ページ分は、ＶＲＡＭ７３への画像データの読み込みの際に、ＶＲＡＭ７３に空白ページ、すなわち空白イメージが挿入される。
【００７４】
ステップ２０５においては、文書がポートレイト方向に対して横書きであるか、縦書きであるかを判断し、横書きであるときには、ステップ２０５からステップ２０６に進んで、用紙左半分に割り付けるページ・イメージを１８０度回転させた後、ステップ２０８に進む。
【００７５】
文書がポートレイト方向に対して縦書きであるときには、ステップ２０５からステップ２０７に進んで、用紙右半分に割り付けるページ・イメージを１８０度回転させた後、ステップ２０８に進む。
【００７６】
ステップ２０８においては、ページカウンタの値ｉを１として、ステップ２０９に進み、ステップ２０９において、ｉページ目の、上記のようにイメージを１８０度回転させた画像データ、およびイメージを回転させない画像データを、横書きのときには１枚の用紙の片面の一面（表面）からみて左半分および右半分に割り付ける出力画像データとして、縦書きのときには１枚の用紙の片面の一面からみて右半分および左半分に割り付ける出力画像データとして、ＶＲＡＭ７３に読み込む。
【００７７】
次に、ステップ２１０において、その１枚の用紙の片面分の出力画像データと、その印刷の指示を画像出力装置８０に送出して、画像出力装置８０に１枚の用紙の片面分の印刷を行わせる。
【００７８】
次に、ステップ２１１に進んで、ｉを１だけインクリメントした上で、ステップ２１２に進んで、ｉがｍを超えたか否かを判断する。
【００７９】
ｉがｍを超えていないときには、ステップ２１２からステップ２０９に戻って、ステップ２０９〜２１２を繰り返し、ｉがｍを超えたときには、画像生成処理を終了する。
【００８０】
このようにして、図４に示したように（ただし、図４はＭが偶数で、ｍ＝Ｍの場合）、（ｍ／２）枚の用紙上に画像が印字出力され、後処理装置９０において、上記のように冊子が形成される。
【００８１】
この場合、Ｍが奇数のときには、冊子において、最後の用紙の裏面が白紙イメージとなる。
【００８２】
そして、図４の例によれば、用紙の切断面が冊子の一定の辺に、すなわち横書き文書の場合には左辺に、縦書き文書の場合には右辺に、揃うようになる。
【００８３】
なお、片面印刷の場合には、一文書の処理上の総ページ数ｍが実際上の総ページ数Ｍと等しくされて、文書がポートレイト方向に対して横書きのときには、入力画像データの１ページ目が１枚目の用紙の一面の右半分および左半分に２ページ分、２ページ目が２枚目の用紙の一面の右半分および左半分に２ページ分、Ｍページ目がＭ枚目の用紙の一面の右半分および左半分に２ページ分、それぞれ割り付けられる。
【００８４】
文書がポートレイト方向に対して縦書きのときにも、横書きのときと同様である。イメージの正立、倒立についても、両面印刷の場合と同様にされる。そして、片面印刷の場合にも、両面印刷の場合と同様の効果が得られる。
【００８５】
なお、文書がランドスケープ方向に対して横書き、縦書きの場合には、それぞれ図４に示し、上述した方法とは逆の方向の割り付けがなされるようにすればよい。
【００８６】
［別の発明の例…図６］
別の発明では、例えば、両面印刷の場合、図６に示すように印刷され、後処理される。
【００８７】
すなわち、図６は、入力画像データにおける一文書の総ページ数Ｍが偶数の場合で、この場合、文書がポートレイト方向に対して横書きのときには、図６の上側および左側に示すように、入力画像データの１ページ目が用紙Ｓ１の一面（表面）の右上部分および左下部分に２ページ分、Ｍページ目が用紙Ｓ１の一面の左上部分および右下部分に２ページ分、２ページ目が用紙Ｓ１の裏面の右上部分および左下部分に２ページ分、（Ｍ−１）ページ目が用紙Ｓ１の裏面の左上部分および右下部分に２ページ分、３ページ目が用紙Ｓ２の一面の右上部分および左下部分に２ページ分、（Ｍ−３）ページ目が用紙Ｓ２の一面の左上部分および右下部分に２ページ分、４ページ目が用紙Ｓ２の裏面の右上部分および左下部分に２ページ分、（Ｍ−４）ページ目が用紙Ｓ２の裏面の左上部分および右下部分に２ページ分、それぞれ割り付けられる。
【００８８】
文書がポートレイト方向に対して縦書きのときには、図６の右下側に示すように、１ページ目から（Ｍ／２）ページ目までの割り付け位置とＭページ目から｛（Ｍ／２）＋１｝ページ目までの割り付け位置が、横書きのときとは逆にされる。
【００８９】
ただし、いずれのときも、入力画像データの同一ページの２ページ分の間では、一方のページのイメージは正立させられ、他方のページのイメージは倒立させられる。また、必要に応じて、各ページのイメージは縮小または拡大される。
【００９０】
このように生成された、（Ｍ／２）枚の用紙Ｓ１，Ｓ２…からなる印刷物４は、それぞれの用紙が四分されるように裁断される。さらに、その裁断されたＭページ目から｛（Ｍ／２）＋１｝ページ目までの、イメージが正立する方の部分４ｂが、１ページ目から（Ｍ／２）ページ目までの、イメージが正立する方の部分４ａの後側に、ページ順に重ねられることにより、１部の冊子が生成されるとともに、Ｍページ目から｛（Ｍ／２）＋１｝ページ目までの、イメージが倒立する方の部分４ｄが、１ページ目から（Ｍ／２）ページ目までの、イメージが倒立する方の部分４ｃの後側に、ページ順に重ねられることにより、もう１部の冊子が生成される。
【００９１】
この場合の画像処理装置７０における画像生成ルーチンは、１枚の用紙の片面に割り付けられるのが、入力画像データの異なる２ページについてのそれぞれ２ページ分で、かつ前半のページは１ページ目から順に、後半のページは最終ページから順に、それぞれ割り付けられ、それに伴って、図５に示したものとは、ステップ２０６，２０７でイメージを回転させるページ、ステップ２０９でＶＲＡＭ７３に読み込むページ、およびステップ２１２で基準となるページが、それぞれ異なるほかは、図５に示したものと同じである。
【００９２】
Ｍが奇数のときには、それぞれの冊子において、最後の用紙の裏面が白紙イメージとなることも、図４の場合と同じである。
【００９３】
そして、図６の例によれば、用紙の切断面がそれぞれの冊子の一定の辺に、すなわち横書き文書の場合には左辺および下辺に、縦書き文書の場合には右辺および下辺に、揃うようになる。
【００９４】
この場合も、片面印刷にすることができ、かつ片面印刷の場合にも、両面印刷の場合と同様の効果が得られる。
【００９５】
なお、文書がランドスケープ方向に対して横書き、縦書きの場合には、それぞれ図６に示し、上述した方法とは逆の方向の割り付けにすればよい。
【００９６】
［他の実施形態］
上述した例は、いずれも用紙の切断面が冊子の背または背と下部にくるようにする場合であるが、冊子の腹または腹と上部もしくは下部にくるようにしてもよい。
【００９７】
画像出力装置８０のタイプによっては、最終ページから最初のページにかけて順次印刷するものもある。しかし、その場合にも、画像処理装置７０において、それに相応した処理がなされるようにすればよい。
【００９８】
なお、印刷装置３０が後処理装置９０を有しないで、生成された印刷物の裁断や重ね合わせを含めた後処理を別途、行うようにすることもできる。
【００９９】
また、上記の実施形態は、印刷データないし画像データの入力手段として、通信ネットワーク１０、画像読取装置４０およびデータ記憶装置５０を有する場合であるが、これらのうちの少なくとも一つがあればよい。
【０１００】
なお、画像処理装置７０に画像データの書き込みや保管などのためにディスクメモリを設けるなど、画像処理装置７０の具体的構成は適宜変更することができる。
【０１０１】
【発明の効果】
上述したように、この発明によれば、文書の横書き、縦書きの如何を問わず、印刷後に各用紙を二分するように裁断し、その裁断された一半部を半回転させて他半部に重ねるだけで、所期のページ順の冊子を作成することができるとともに、用紙の切断面がその冊子の一定の辺に揃って、冊子の体裁が良くなり、しかも、同一文書を奇数部作成するときでも、用紙の無駄を生じない。
【図面の簡単な説明】
【図１】この発明の画像処理装置の一例を備える印刷システムの一実施形態を示す図である。
【図２】この発明の一例の説明に供する図である。
【図３】図２の場合の処理を行う画像生成ルーチンの一例を示す図である。
【図４】他の発明の一例の説明に供する図である。
【図５】図４の場合の処理を行う画像生成ルーチンの一例を示す図である。
【図６】別の発明の一例の説明に供する図である。
【図７】Ｎｕｐの説明に供する図である。
【図８】Ｎｕｐの説明に供する図である。
【符号の説明】
１０  通信ネットワーク
２０  ジョブ発行装置
３０  印刷装置
４０  画像読取装置
５０  データ記憶装置
６０  ユーザインタフェース
７０  画像処理装置
７１  ＣＰＵ（画像処理手段、入力画像データ取得手段）
７２  ＲＡＭ（画像処理手段）
７３  ＶＲＡＭ（画像処理手段）
７４  ネットワークインタフェース（入力画像データ取得手段）
７５  インタフェース回路（入力画像データ取得手段）
７６  インタフェース回路（入力画像データ取得手段）
８０  画像出力装置
９０  後処理装置
【図１】
0003573175.tif 000002
【図２】
0003573175.tif 000003
【図３】
0003573175.tif 000004
【図４】
0003573175.tif 000005
【図５】
0003573175.tif 000006
【図６】
0003573175.tif 000007
【図７】
0003573175.tif 000008
【図８】
0003573175.tif 000009